(57)【要約】【課題】伝送路における圧縮信号のエラーをチェックするために最適な動画テスト信号を生成することができるハイビジョン動画テスト用信号生成装置、プログラムおよび方法を提供する。【解決手段】ハイビジョン信号の伝送路における当該ハイビジョン信号の伝送状態を、動画パターンを用いてテストする信号であるハイビジョン動画テスト用信号を生成するハイビジョン動画テスト用信号生成装置１であって、動画パターンのそれぞれのレベル値を記録しておく動画パターン記録手段３と、レベル値にコサイン波を乗算したコサイン波乗算レベル値とするコサイン波乗算手段５と、コサイン波乗算レベル値を一水平同期分保持し、当該コサイン波乗算レベル値を読み出す読出位置の開始箇所を一フレーム毎に変化させたハイビジョン動画テスト用信号を生成するハイビジョン動画テスト用信号生成手段７と、を備えた。【選択図】      図１
2004241828.tif 000002
【特許請求の範囲】
【請求項１】
ハイビジョン信号の伝送路における当該ハイビジョン信号の伝送状態を、異なる輝度信号および異なる色差信号からなる動画パターンを用いてテストするための信号であるハイビジョン動画テスト用信号を生成するハイビジョン動画テスト用信号生成装置であって、
前記輝度信号および前記色差信号のそれぞれのレベル値を記録しておく動画パターン記録手段と、
前記レベル値に任意の曲線波形の示す値を乗算して曲線波乗算レベル値とする曲線波乗算手段と、
この曲線波乗算手段で乗算された曲線波乗算レベル値を一水平同期分保持し、当該曲線波乗算レベル値を読み出す読出位置の開始箇所を一フレーム毎に変化させた前記ハイビジョン動画テスト用信号を生成するハイビジョン動画テスト用信号生成手段と、
を備えることを特徴とするハイビジョン動画テスト用信号生成装置。
【請求項２】
前記ハイビジョン動画テスト用信号生成手段は、前記曲線波乗算レベル値と前記レベル値とを一水平同期分保持し、前記一フレーム内において、前記曲線波乗算レベル値と前記レベル値とを切り換えて読み出すことを特徴とする請求項１に記載のハイビジョン動画テスト用信号生成装置。
【請求項３】
ハイビジョン信号の伝送路における当該ハイビジョン信号の伝送状態を、動画パターンを用いてテストするための信号であるハイビジョン動画テスト用信号を生成する装置を、
予め前記動画パターンが記録されている記録手段から当該動画パターンを読み出す動画パターン読出手段、
この動画パターン読出手段で読み出した動画パターンのそれぞれのレベル値に任意の曲線波形の示す値を乗算して、曲線波乗算レベル値とする曲線波乗算手段、
この曲線波乗算手段で乗算された曲線波乗算レベル値を一水平同期分保持し、当該曲線波乗算レベル値を読み出す読出位置の開始箇所を一フレーム毎に変化させた前記ハイビジョン動画テスト用信号を生成するハイビジョン動画テスト用信号生成手段、
として機能させることを特徴とするハイビジョン動画テスト用信号生成プログラム。
【請求項４】
ハイビジョン信号の伝送路における当該ハイビジョン信号の伝送状態を、動画パターンを用いてテストするための信号であるハイビジョン動画テスト用信号を生成するハイビジョン動画テスト用信号生成方法であって、
予め前記動画パターンが記録されている記録手段から当該動画パターンを読み出す動画パターン読出ステップと、
この動画パターン読出ステップにて読み出した動画パターンのそれぞれのレベル値に任意の曲線波形の示す値を乗算して、曲線波乗算レベル値とする曲線波乗算ステップと、
この曲線波乗算ステップにて乗算された曲線波乗算レベル値を一水平同期分保持し、当該曲線波乗算レベル値を読み出す読出位置の開始箇所を一フレーム毎に変化させた前記ハイビジョン動画テスト用信号を生成するハイビジョン動画テスト用信号生成ステップと、
を含むことを特徴とするハイビジョン動画テスト用信号生成方法。
【発明の詳細な説明】
【０００１】
【発明の属する技術分野】
本発明は、ハイビジョン信号の伝送状態をテストするハイビジョン動画テスト用信号を生成するハイビジョン動画テスト用信号生成装置、ハイビジョン動画テスト用信号生成プログラムおよびハイビジョン動画テスト用信号生成方法に関する。
【０００２】
【従来の技術】
従来、放送局から伝送されるハイビジョン用（ＨＶ用）のハイビジョン信号（ＨＶ信号）の多くは、ＭＰＥＧによる圧縮信号であり、この圧縮信号を伝送する伝送路をチェックする（伝送状態を確認する、画像をテストする）ための動画テスト信号を、当該伝送路をチェックするたびに、ＨＶ信号を出力するＨＶカメラ等を使用して生成していた（ハイビジョン信号については、非特許文献１を参照）。
【０００３】
また、従来の動画テスト信号（動画パターン）を図６に示す。この図６に示すように、従来の動画パターンは、表示画面上（モニター上）をカラーバー（ＨＶ画像）と呼ばれる８色の色（輝度の高い順に「白」、「黄色」、「シアン」、「緑」、「マゼンタ」、「赤」、「青」、「黒」）が図６中右方向から左方向に移動していくものである。
【０００４】
【非特許文献１】
電波産業会（ＡＲＩＢ）標準規格「１１２５／６０方式ＨＤＴＶスタジオシステム」（ＢＴＡ  Ｓ−００１Ｂ）１９９８年３月１７日、全頁
【０００５】
【発明が解決しようとする課題】
しかしながら、従来の動画テスト信号は、ＨＶカメラ等を使用して生成したものであったので、圧縮信号を伝送する伝送路をチェックする（伝送状態を確認する、画像をテストする）ために適したものではない、つまり、伝送路における圧縮信号（デジタル信号）のエラーをチェックするために適したものではないという問題がある。例えば、従来の動画テスト信号では、当該動画テスト信号が表示画面に表示される際の映像にフラットな部分が多く、圧縮信号（デジタル信号）特有のブロックノイズやスライスノイズの判別がつきにくいという問題がある。また、従来の動画テスト信号は、大画面の表示画面上では、見にくいという問題がある。
【０００６】
さらに、ハイビジョン用の静止画像をテストするＨＶ用静止画テスト信号については、電波産業会（ＡＲＩＢ）の標準規格で規定されているが、動画テスト信号については規定されていない（記載されていない）。
【０００７】
そこで、本発明の目的は前記した従来の技術が有する課題を解消し、伝送路における圧縮信号のエラーをチェックするために最適な動画テスト信号を生成することができるハイビジョン動画テスト用信号生成装置、ハイビジョン動画テスト用信号生成プログラムおよびハイビジョン動画テスト用信号生成方法を提供することにある。
【０００８】
【課題を解決するための手段】
本発明は、前記した目的を達成するため、以下に示す構成とした。
請求項１記載のハイビジョン動画テスト用信号生成装置は、ハイビジョン信号の伝送路における当該ハイビジョン信号の伝送状態を、異なる輝度信号および異なる色差信号からなる動画パターンを用いてテストするための信号であるハイビジョン動画テスト用信号を生成するハイビジョン動画テスト用信号生成装置であって、動画パターン記録手段と、曲線波乗算手段と、ハイビジョン動画テスト用信号生成手段と、を備える構成とした。
【０００９】
かかる構成によれば、動画パターン記録手段で、動画パターンを構成する輝度信号および色差信号のそれぞれのレベル値が記録されており、曲線波乗算手段で、レベル値に任意の曲線波形（例えば、コサイン波、サイン波）の示す値が乗算され、曲線波乗算レベル値とされる。そして、ハイビジョン動画テスト用信号生成手段で、曲線波乗算レベル値が一水平同期分保持され、当該曲線波乗算レベル値を読み出す読出位置の開始箇所が一フレーム毎に変化されたハイビジョン動画テスト用信号が生成される。
【００１０】
なお、動画パターンは、いわゆるカラーバーのパターンを指すものであり、レベル値はカラーバーにおける輝度信号レベル（または、色差信号レベル）の値を指すものであり、通常、カラーバーには、輝度の高い順に、「白」、「黄色」、「シアン」、「緑」、「マゼンタ」、「赤」、「青」、「黒」の８色の色（８個のレベル値）が含まれている。
【００１１】
請求項２記載のハイビジョン動画テスト用信号生成装置は、請求項１に記載のハイビジョン動画テスト用信号生成装置において、前記ハイビジョン動画テスト用信号生成手段は、前記曲線波乗算レベル値と前記レベル値とを一水平同期分保持し、前記一フレーム内において、前記曲線波乗算レベル値と前記レベル値とを切り換えて読み出す構成とした。
【００１２】
かかる構成によれば、ハイビジョン動画テスト用信号生成手段で、一フレーム内において、曲線波乗算レベル値とレベル値とが切り換えて読み出される。これにより、レベル値が読み出された場合には、静止した動画パターン（通常のカラーバーのパターン）となり、曲線波乗算レベル値が読み出された場合には、輝度および色差のレベルが緩やかに変化するカラーバーが移動していくこと（動画パターン）になる。
【００１３】
請求項３記載のハイビジョン動画テスト用信号生成プログラムは、ハイビジョン信号の伝送路における当該ハイビジョン信号の伝送状態を、動画パターンを用いてテストするための信号であるハイビジョン動画テスト用信号を生成する装置を、動画パターン読出手段、曲線波乗算手段、ハイビジョン動画テスト用信号生成手段、として機能させる構成とした。
【００１４】
かかる構成によれば、動画パターン読出手段で、予め動画パターンが記録されている記録手段から動画パターンが読み出され、曲線波乗算手段で、それぞれのレベル値に任意の曲線波形の示す値が乗算され、曲線波乗算レベル値とされる。そして、ハイビジョン動画テスト用信号生成手段で、曲線波乗算レベル値が一水平同期分保持され、当該曲線波乗算レベル値を読み出す読出位置の開始箇所が一フレーム毎に変化されたハイビジョン動画テスト用信号が生成される。
【００１５】
請求項４記載のハイビジョン動画テスト用信号生成方法は、ハイビジョン信号の伝送路における当該ハイビジョン信号の伝送状態を、動画パターンを用いてテストするための信号であるハイビジョン動画テスト用信号を生成するハイビジョン動画テスト用信号生成方法であって、動画パターン読出ステップと、曲線波乗算ステップと、ハイビジョン動画テスト用信号生成ステップと、を含むものとした。
【００１６】
この方法によれば、動画パターン読出ステップにおいて、予め動画パターンが記録されている記録手段から動画パターンが読み出され、曲線波乗算ステップにおいて、それぞれのレベル値に任意の曲線波形の示す値が乗算され、曲線波乗算レベル値とされる。そして、ハイビジョン動画テスト用信号生成ステップにおいて、曲線波乗算レベル値が一水平同期分保持され、当該曲線波乗算レベル値を読み出す読出位置の開始箇所が一フレーム毎に変化されたハイビジョン動画テスト用信号が生成される。
【００１７】
【発明の実施の形態】
以下、本発明の一実施の形態について、図面を参照して詳細に説明する。
（ハイビジョン動画テスト用信号生成装置の構成）
図１は、ハイビジョン動画テスト用信号生成装置のブロック図である。この図１に示すように、ハイビジョン動画テスト用信号生成装置１は、動画パターン記録手段３と、コサイン波乗算手段５と、ハイビジョン動画テスト用信号生成手段７とを備えている。
【００１８】
このハイビジョン動画テスト用信号生成装置１は、ハイビジョン用信号を伝送する伝送路における当該ハイビジョン用信号のエラー（伝送エラー）をチェックする（テストする）ためのハイビジョン動画テスト用信号を生成するものである。
【００１９】
つまり、このハイビジョン動画テスト用信号生成装置１は、送信側の放送局からハイビジョン用信号が放送され、伝送路を介して、受信側の受信機（図示せず）で受信された場合に、誤りなく確実に（ノイズ、ビート障害、ゴースト障害等がなく）伝送されたかをテストするためのハイビジョン動画テスト用信号を生成するものである。すなわち、このハイビジョン動画テスト用信号の変化を、チェッカー（伝送路の伝送状態を検査する者）が目視で確認することによって伝送路の伝送状態を把握することができるものである。
【００２０】
動画パターン記録手段３は、動画パターンのそれぞれのレベル値を記録するものである。動画パターンは、カラーバー（ＨＶ画像）と呼ばれる８色の色（輝度の高い順に「白」、「黄色」、「シアン」、「緑」、「マゼンタ」、「赤」、「青」、「黒」）が表示画面上（図示せず）を右方向から左方向に移動していくものである。
【００２１】
なお、カラーバーは、一般的に、送信側から送信されたカラーバー波形が、受信側の受信機（図示せず）で受信された場合に、当該受信機（図示せず）の表示画面に表示されるものであり、このカラーバー波形は、水平同期信号、輝度信号、搬送波色信号、カラーバースト信号によって構成されている。
【００２２】
水平同期信号は、受信側の表示画面上に表示した映像信号の水平方向の同期をとるための基準となるもので、送信側で撮像した映像信号に帰線消去信号（走査の戻り期間である水平帰線消去期間を生じさせる）を付加し、この水平帰線消去期間中に加えたものである。
【００２３】
輝度信号は、撮像した映像信号に帰線消去信号を付加した帰線消去映像信号に水平同期信号を付加したものである。
【００２４】
搬送波色信号は、輝度信号と色差信号（色相と色の濃さを表す信号）とを重畳して搬送する搬送波を変調したものである。
【００２５】
カラーバースト信号は、水平帰線消去期間中の水平同期信号の後に挿入するもので、搬送波色信号の位相基準を表すものである。
【００２６】
また、レベル値は、カラーバーにおける輝度信号のレベル（または、色差信号レベル）の値を指すものである。つまり、各レベル値には「白のレベル値」、「黄色のレベル値」、「シアンのレベル値」、「緑のレベル値」、「マゼンタのレベル値」、「赤のレベル値」、「青のレベル値」、「黒のレベル値」の８個のレベル値が含まれている。この実施の形態では、これら各レベル値が、動画パターン記録手段３に記録されている。つまり、動画パターン記録手段３には、各レベル値によって再現される「カラーバー」が記録されているといえる。
【００２７】
コサイン波乗算手段５は、動画パターン記録手段３に記録されている各レベル値に、コサイン波の示す値を乗算して、コサイン波乗算レベル値を生成し、ハイビジョン動画テスト用信号生成手段７に出力するものである。このコサイン波乗算手段５で乗算するコサイン波によって、レベル値（映像信号）の水平方向の周波数成分が低くなるので、視覚上見やすくなる。また、レベル値（映像信号）のＤ／Ａ変換を行う場合に、リンギングの生成がなくなるという利点がある。
【００２８】
なお、コサイン波が特許請求の範囲の請求項に記載した任意の曲線波形に相当するものであり、コサイン波乗算レベル値が特許請求の範囲の請求項に記載した曲線波乗算レベル値に相当するものであり、コサイン波乗算手段５が特許請求の範囲の請求項に記載した曲線波乗算手段に相当するものである。
【００２９】
なお、この実施の形態では、レベル値に乗算する任意の曲線波形（任意の曲線波形を示す値）として、コサイン波（コサイン波の示す値）を乗算しているが、これに限定されるものではなく、例えば、サイン波であってもよい。つまり、任意の曲線波形は、動画パターン記録手段３に記録されているレベル値（従来のカラーバーの中心線と最高輝度（色差）レベルとの交点）を含んでなる波形の水平周波数成分を単一にする波形であればよい。
【００３０】
ハイビジョン動画テスト用信号生成手段７は、動画パターン記録手段３に記録されている各レベル値と、コサイン波乗算手段５でコサインが乗算されたコサイン波乗算レベル値とに基づいて、ハイビジョン動画テスト用信号を生成して、出力するもので、選択手段７ａと、読出開始箇所変化手段７ｂと、出力手段７ｃとを備えている。
【００３１】
選択手段７ａは、動画パターン記録手段３に記録されている各レベル値と、コサイン波乗算手段５でコサインが乗算されたコサイン波乗算レベル値とを選択し切り換えて、読出開始箇所変化手段７ｂに出力するものである。この選択手段７ａは、ハイビジョン動画テスト用信号が表示画面（図示せず）に表示される際の一フレーム分の映像中において、各レベル値とコサイン波乗算レベル値とを切り換えるものである。
【００３２】
読出開始箇所変化手段７ｂは、選択手段７ａで選択されたレベル値またはコサイン波乗算レベル値に基づいて、当該レベル値または当該コサイン波乗算レベル値を一水平同期分保持し、当該レベル値またはコサイン波乗算レベル値を読み出す読出位置の開始箇所を一フレーム毎に変化させて読み出すものである。この読出開始箇所変化手段７ｂでレベル値を読み出す読出位置の開始箇所を変更しないことで、表示手段（図示せず）の表示画面の任意の部分にレベル値（移動しない静止波形となる）を読み出すことが可能になる。また、この読出開始箇所変化手段７ｂでコサイン波乗算レベル値を読み出す読出位置の開始箇所を変更することで、表示手段（図示せず）の表示画面の任意の部分にコサイン波乗算レベル値（横方向に移動する動画波形となる）を読み出すことが可能になる。
【００３３】
なお、この実施の形態では、読出開始箇所変化手段７ｂで、表示手段（図示せず）の表示画面の略センター部分のみ（帯状）にレベル値を読み出して、他の部分（表示画面の上方および下方）にコサイン波乗算レベル値を読み出しており、表示画面上では、略センター部分のみを移動しない静止波形が挿入されたように観測することができる。また、この実施の形態では、レベル値またはコサイン波乗算レベル値は、それぞれ１０ビットで表現できる値であり、一水平同期分は１９２０サンプル分である（詳細は図５を参照して後記する）。
【００３４】
出力手段７ｃは、読出開始箇所変化手段７ｂで読み出されたレベル値またはコサイン波乗算レベル値をハイビジョン動画テスト用信号として外部（例えば、表示手段［図示せず］）に出力するものである。つまり、この出力手段７ｃから出力されるハイビジョン動画テスト用信号は、曲線（コサインカーブ）で変化する信号であり、横方向に移動する動画波形である。しかも、この実施の形態では、ハイビジョン動画テスト用信号が表示手段（図示せず）に表示された際には、表示画面の略センター部分が移動しない静止波形となり、他の部分が横方向に移動する動画波形となる。
【００３５】
このハイビジョン動画テスト用信号生成装置１によれば、動画パターン記録手段３で、動画パターンのそれぞれのレベル値が記録されており、コサイン波乗算手段５で、レベル値それぞれにコサイン波が乗算され、コサイン波乗算レベル値とされる。そして、ハイビジョン動画テスト用信号生成手段７で、コサイン波乗算レベル値が一水平同期分保持され、当該コサイン波乗算レベル値を読み出す読出位置の開始箇所が一フレーム毎に変化されたハイビジョン動画テスト用信号が生成される。このため、ハイビジョン動画テスト用信号は、輝度および色差が緩やかに変化して（曲線状に変化して）、横方向に移動する信号であり、従来の動画テスト信号に比べ、フラットな部分がなく、圧縮信号（デジタル信号）特有のブロックノイズやスライスノイズ、偽輪部、量子化ビットエラー等の判別がつきやすくなっており、また、ハイビジョン動画テスト用信号が移動しなければ「映像のフリーズ」の判断を容易に行うことができる。つまり、ハイビジョン動画テスト用信号生成装置１は、伝送路における圧縮信号のエラーをチェックするために最適な動画テスト信号（ハイビジョン動画テスト用信号）を生成することができる。
【００３６】
また、ハイビジョン動画テスト用信号生成装置１によれば、ハイビジョン動画テスト用信号生成手段７で、一フレーム内において、コサイン波乗算レベル値とレベル値とが切り換えて読み出される。これにより、レベル値が読み出された場合には、静止した動画パターン（通常のカラーバーのパターン、静止波形）となり、コサイン波乗算レベル値が読み出された場合には、コサイン波形が移動していくこと（動画パターン、動画波形）となる。この実施の形態において、ハイビジョン動画テスト用信号が表示手段（図示せず）に表示された際には、表示手段（図示せず）の表示画面上の略センター部分が移動しない静止波形となり、他の部分が横方向に移動する動画波形となっており、カラーバーのレベルの確認を容易に行うことができると共に、表示画面が大画面であっても、移動しない静止波形と移動する動画波形との対比によって、表示画面上でハイビジョン動画テスト用信号が見易くなっている（エラーのチェックがし易くなっている）。つまり、ハイビジョン動画テスト用信号生成装置１は、伝送路における圧縮信号のエラーをチェックするために最適な動画テスト信号（ハイビジョン動画テスト用信号）を生成することができる。
【００３７】
さらに、従来の動画テスト信号がＨＶ信号を出力するＨＶカメラ等を使用して生成していたのに比べ、ハイビジョン動画テスト用信号生成装置１は、ハイビジョン動画テスト用信号を生成する専用装置であり、従来のＨＶカメラ等に比べて大幅な低コスト化、性能改善、小型化、軽量化を実現することができる。
【００３８】
（ハイビジョン動画テスト用信号生成装置の動作）
次に、図２に示すフローチャートを参照して、ハイビジョン動画テスト用信号生成装置の動作を説明する（適宜図１参照）。
【００３９】
まず、動画パターン記録手段３に記録されている動画パターン、つまり、レベル値それぞれ（「白のレベル値」、「黄色のレベル値」、「シアンのレベル値」、「緑のレベル値」、「マゼンタのレベル値」、「赤のレベル値」、「青のレベル値」、「黒のレベル値」の８個のレベル値）がコサイン波乗算手段５に読み出され、各レベル値にコサイン波が乗算され（Ｓ１）、ハイビジョン動画テスト用信号生成手段７の選択手段７ａに出力される。また、動画パターン記録手段３に記録されている動画パターン、つまり、レベル値それぞれもハイビジョン動画テスト用信号生成手段７の選択手段７ａに出力される。
【００４０】
すると、選択手段７ａで、読出開始箇所変化手段７ｂにコサイン波乗算レベル値を出力するかどうかが判断される（Ｓ２）。読出開始箇所変化手段７ｂにコサイン波乗算レベル値を出力すると判断された場合（Ｓ２、Ｙｅｓ）には、選択手段７ａでコサイン波乗算レベル値が選択され、読出開始箇所変化手段７ｂでコサイン波乗算レベル値の読み出す読出位置の開始箇所が変更されて、出力手段７ｃに出力される（Ｓ３）。
【００４１】
また、読出開始箇所変化手段７ｂにコサイン波乗算レベル値を出力すると判断されなかった場合（Ｓ２、Ｎｏ）には、選択手段７ａでレベル値が選択され、読出開始箇所変化手段７ｂでレベル値の読み出す読出位置の開始箇所が変更されずに（固定の読出位置で）、出力手段７ｃに出力される（Ｓ４）。
【００４２】
そして、出力手段７ｃで、コサイン波乗算レベル値またはレベル値の読出位置の開始箇所が変更されたものがハイビジョン動画テスト用信号として、外部（表示手段［図示せず］）に出力される（Ｓ５）。その後、表示手段（図示せず）の表示画面に表示されたハイビジョン動画テスト用信号をチェッカーが目視して、このチェッカーによって伝送路のエラーがチェックされ、さらに、チェッカーによる操作によって、ハイビジョン動画テスト用信号の生成が終了するかどうかが判断される（Ｓ６）。チェックが完了していない場合には、ハイビジョン動画テスト用信号の生成は続行され（Ｓ６、Ｎｏ）、チェックが完了した場合には、ハイビジョン動画テスト用信号の生成が終了される（Ｓ６、Ｙｅｓ）。或いは、ハイビジョン動画テスト用信号生成装置１によるハイビジョン動画テスト用信号の生成は、一定時間経過すると自動的に終了する。
【００４３】
（動画パターンのレベル値について）
次に、図３を参照して、動画パターンのレベル値について説明する（適宜図１参照）。
この図３において、８本の棒グラフは、図３中、左側から、「白」、「黄色」、「シアン」、「緑」、「マゼンタ」、「赤」、「青」、「黒」の輝度信号を示しており、この棒グラフを結ぶ曲線（▲１▼から▲８▼を通過する曲線）は、コサイン波乗算手段５で乗算されたコサイン波乗算レベル値を示している。つまり、図３に示したように、ハイビジョン動画テスト用信号生成装置１のコサイン波乗算手段５は、各レベル値をｃｏｓカーブ（コサインカーブ）で接続する役割を果たしている。これによって、ハイビジョン動画テスト用信号生成装置１で生成されたハイビジョン動画テスト用信号は、曲線で変化するものになる。
【００４４】
（表示画面上のハイビジョン動画テスト用信号について）
次に、図４、図５を参照して、表示画面上のハイビジョン動画テスト用信号について説明する（適宜図１参照）。
図４は、ハイビジョン動画テスト用信号が、表示手段（図示せず）の表示画面に表示された場合を示したものであり、図５は、ハイビジョン動画テスト信号生成手段７で生成されたハイビジョン動画テスト信号のデータを示したものである。
【００４５】
図４に示したように、表示画面上の上方部分および下方部分に表示されているハイビジョン動画テスト信号（コサイン波形［動画波形］）が右方向から左方向に移動しており、表示画面上の略センター部分に表示されているハイビジョン動画テスト信号（移動しない波形［静止波形］）が移動していない。なお、Ｗは白、Ｙは黄色、Ｃはシアン、Ｇは緑、Ｍはマゼンタ、Ｒは赤、Ｂは青、ＢＫは黒を示している。
【００４６】
また、図５に示したように、ハイビジョン動画テスト信号は、サンプル数１９２０分（サンプルＮＯ：０〜１９１９）のデータ（各データ量は１０ビット）からなっている。Ｙ信号は輝度信号、Ｐｂ信号、Ｐｒ信号は色差信号を示している。サンプルＮＯ：０〜１１９が「白」のデータを、サンプルＮＯ：１２０〜３５９が「黄色」のデータを、サンプルＮＯ：３６０〜５９９が「シアン」のデータを、サンプルＮＯ：６００〜８３９が「緑」のデータを、サンプルＮＯ：８４０〜１０７９が「マゼンタ」のデータを、サンプルＮＯ：１０８０〜１３１９が「赤」のデータを、サンプルＮＯ：１３２０〜１５５９が「青」のデータを、サンプルＮＯ：１５６０〜１７９９が「黒」のデータを、示している。
【００４７】
この図５に示したように、ハイビジョン動画テスト信号は、各色（白、黄色、シアン、緑、マゼンタ、赤、青、黒）にコサイン波が乗算された「動画カラーバー」となっており、これによって、従来の動画テスト信号に比べ、フラットな部分がなく、圧縮信号（デジタル信号）特有のブロックノイズやスライスノイズ、偽輪部、量子化ビットエラー等の判別がつきやすくなる。
【００４８】
以上、一実施形態に基づいて本発明を説明したが、本発明はこれに限定されるものではない。
例えば、ハイビジョン動画テスト信号生成装置１の各構成の処理を汎用的なコンピュータ言語で記述したハイビジョン動画テスト信号生成プログラムとみなすことや、各構成の処理を一つずつの過程ととらえたハイビジョン動画テスト信号生成方法とみなすことも可能である。これらの場合、ハイビジョン動画テスト信号生成装置１と同様の効果を得ることができる。
【００４９】
【発明の効果】
請求項１、３、４記載の発明によれば、動画パターンのそれぞれのレベル値に任意の曲線波形の示す値が乗算され、曲線波乗算レベル値とされる。曲線波乗算レベル値が一水平同期分保持され、当該曲線波乗算レベル値を読み出す読出位置の開始箇所が一フレーム毎に変化されたハイビジョン動画テスト用信号が生成される。このため、ハイビジョン動画テスト用信号は、曲線で変化して、横方向に移動する信号であり、従来の動画テスト信号に比べ、フラットな部分がなく、圧縮信号（デジタル信号）特有のブロックノイズやスライスノイズ、偽輪部、量子化ビットエラー等の判別がつきやすくなっており、また、ハイビジョン動画テスト用信号が移動しなければ「映像のフリーズ」の判断を容易に行うことができる。つまり、伝送路における圧縮信号のエラーをチェックするために最適な動画テスト信号を生成することができる。
【００５０】
請求項２記載の発明によれば、一フレーム内において、曲線波乗算レベル値とレベル値とが切り換えて読み出される。これにより、レベル値が読み出された場合には、静止した動画パターンとなり、曲線波乗算レベル値が読み出された場合には、動画パターンが移動していくこととなる。このため、カラーバーのレベルの確認を容易に行うことができると共に、表示画面が大画面であっても、移動しない静止波形と移動する動画波形との対比によって、表示画面上でハイビジョン動画テスト用信号が見易くなっている（エラーのチェックがし易くなっている）。つまり、伝送路における圧縮信号のエラーをチェックするために最適な動画テスト信号を生成することができる。
【図面の簡単な説明】
【図１】本発明による一実施の形態であるハイビジョン動画テスト信号生成装置のブロック図である。
【図２】図１に示したハイビジョン動画テスト信号生成装置の動作を説明したフローチャートである。
【図３】動画パターンのレベル値について説明した図である。
【図４】ハイビジョン動画テスト用信号が表示画面に表示された場合を示した図である。
【図５】ハイビジョン動画テスト信号のデータを示した図である。
【図６】従来の動画テスト信号（動画パターン）を説明した図である。
【符号の説明】
１        ハイビジョン動画テスト用信号生成装置
３        動画パターン記録手段
５        コサイン波乗算手段
７        ハイビジョン動画テスト用信号生成手段
７ａ      選択手段
７ｂ      読出開始箇所変化手段
７ｃ      出力手段
【図１】
2004241828.tif 000003
【図２】
2004241828.tif 000004
【図３】
2004241828.tif 000005
【図４】
2004241828.tif 000006
【図５】
2004241828.tif 000007
【図６】
2004241828.tif 000008